【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
被写体像を撮像した画像データを出力する撮像手段と、
前記画像データを記憶する第１のメモリ手段と、
前記撮像手段から出力された複数の画像データを合成して１枚の合成画像データを生成する画像合成手段と、
前記画像合成手段によって合成された前記合成画像データを記憶する第２のメモリ手段と、を備え、
前記画像合成手段は、前記第１のメモリ手段に記憶されている画像データと前記第２のメモリ手段に記憶されている合成画像データを、
前記第１のメモリ手段に記憶されている画像データにのみ含まれる領域、
前記第２のメモリ手段に記憶されている合成画像データにのみ含まれる領域、
前記第１のメモリ手段に記憶されている画像データと前記第２のメモリ手段に記憶されている合成画像データの両方に含まれる領域
のそれぞれにおいて信号レベル調整を行うことで同じ信号レベルに調整して合成し、前記第２のメモリ手段に記憶するための合成画像データを生成する、ことを特徴とする撮像装置。
【請求項２】
さらに前記第１のメモリ手段に記憶されている画像データと、前記第２のメモリ手段に記憶されている合成画像データ間のズレ量を検出するズレ量検出手段を有し、
前記画像合成手段は、前記ズレ量検出手段が検出したズレ量に基づき、前記第１のメモリ手段に記憶されている画像データと前記第２のメモリ手段に記憶されている合成画像データとの位置を合わせて、前記第２のメモリ手段に記憶するための合成画像データを生成することを特徴とする請求項１記載の撮像装置。
【請求項３】
前記ズレ量検出手段は、前記第１のメモリ手段に記憶されている画像データと前記第２のメモリ手段に記憶されている合成画像データ間における被写体像領域の動きベクトルの検出を行う、ことを特徴とする請求項２に記載の撮像装置。
【請求項４】
前記ズレ量検出手段は、機械的に検出した前記撮像装置の動きに基づいて前記ズレ量を検出する、ことを特徴とする請求項２に記載の撮像装置。
【請求項５】
前記画像合成手段は、前記第２のメモリ手段に記憶されている合成画像データに合成された画像データの数が増加するに従って、前記信号レベル調整の調整レベルを切り替える、ことを特徴とする請求項１乃至４の何れか１項に記載の撮像装置。
【請求項６】
前記画像合成手段は、前記第２のメモリ手段に記憶されている合成画像データにのみ含まれる領域では、前記第１のメモリ手段に記憶されている画像データが、前記合成画像データを生成するためのＮ番目（ただしＮは２以上の整数）の画像データであるときに、前記第２のメモリ手段に記憶されている合成画像データのレベルをＮ/（Ｎ-１）倍とする前記信号レベル調整を実行し、
前記第１のメモリ手段に記憶されている画像データにのみ含まれる領域では、前記第１のメモリ手段に記憶されている画像データのレベルをＮ倍とする前記信号レベル調整を実行し、
前記第１のメモリ手段に記憶されている画像データと前記第２のメモリ手段に記憶されている合成画像データの両方に含まれる領域では、前記第１のメモリ手段に記憶されている画像データと前記第２のメモリ手段に記憶されている合成画像データとを合成して、前記第２のメモリ手段に記憶するための合成画像データを生成する、ことを特徴とする請求項１乃至５の何れか１項に記載の撮像装置。
【請求項７】
被写体像を撮像した画像データを出力する撮像手段と、第１のメモリ手段と、第２のメモリ手段とを有する撮像装置の制御方法であって、
前記画像データを第１のメモリ手段に記憶する第１の記憶工程と、
前記撮像手段から出力された複数の画像データを合成して１枚の合成画像データを生成する画像合成工程と、
前記画像合成工程によって合成された前記合成画像データを第２のメモリ手段に記憶する第２の記憶工程と、を備え、
前記画像合成工程は、前記第１のメモリ手段に記憶されている画像データと前記第２のメモリ手段に記憶されている合成画像データを、
前記第１のメモリ手段に記憶されている画像データにのみ含まれる領域、
前記第２のメモリ手段に記憶されている合成画像データにのみ含まれる領域、
前記第１のメモリ手段に記憶されている画像データと前記第２のメモリ手段に記憶されている合成画像データの両方に含まれる領域
のそれぞれにおいて信号レベル調整を行うことで同じ信号レベルに調整して合成し、前記第２のメモリ手段に記憶するための合成画像データを生成する、ことを特徴とする撮像装置の制御方法。
【請求項８】
コンピュータに請求項７に記載の撮像装置の制御方法の各工程を実現させるためのプログラム。
【請求項９】
請求項８に記載のプログラムが記録されたコンピュータ読み取り可能な記録媒体。
【手続補正２】
【補正対象書類名】明細書
【補正対象項目名】０００９
【補正方法】変更
【補正の内容】
【０００９】
上記の目的を達成するために、本発明の実施形態における撮像装置は、被写体像を撮像した画像データを出力する撮像手段と、
前記画像データを記憶する第１のメモリ手段と、
前記撮像手段から出力された複数の画像データを合成して１枚の合成画像データを生成する画像合成手段と、
前記画像合成手段によって合成された前記合成画像データを記憶する第２のメモリ手段と、を備え、
前記画像合成手段は、前記第１のメモリ手段に記憶されている画像データと前記第２のメモリ手段に記憶されている合成画像データを、
前記第１のメモリ手段に記憶されている画像データにのみ含まれる領域、
前記第２のメモリ手段に記憶されている合成画像データにのみ含まれる領域、
前記第１のメモリ手段に記憶されている画像データと前記第２のメモリ手段に記憶されている合成画像データの両方に含まれる領域
のそれぞれにおいて信号レベル調整を行うことで同じ信号レベルに調整して合成し、前記第２のメモリ手段に記憶するための合成画像データを生成する、ことを特徴とする。
【手続補正３】
【補正対象書類名】明細書
【補正対象項目名】００１０
【補正方法】変更
【補正の内容】
【００１０】
上記の目的を達成するために、本発明の他の実施形態における撮像装置の制御方法は、被写体像を撮像した画像データを出力する撮像手段と、第１のメモリ手段と、第２のメモリ手段とを有し、
前記画像データを第１のメモリ手段に記憶する第１の記憶工程と、
前記撮像手段から出力された複数の画像データを合成して１枚の合成画像データを生成する画像合成工程と、
前記画像合成工程によって合成された前記合成画像データを第２のメモリ手段に記憶する第２の記憶工程と、を備え、
前記画像合成工程は、前記第１のメモリ手段に記憶されている画像データと前記第２のメモリ手段に記憶されている合成画像データを、
前記第１のメモリ手段に記憶されている画像データにのみ含まれる領域、
前記第２のメモリ手段に記憶されている合成画像データにのみ含まれる領域、
前記第１のメモリ手段に記憶されている画像データと前記第２のメモリ手段に記憶されている合成画像データの両方に含まれる領域
のそれぞれにおいて信号レベル調整を行うことで同じ信号レベルに調整して合成し、前記第２のメモリ手段に記憶するための合成画像データを生成する、ことを特徴とする。
【手続補正４】
【補正対象書類名】明細書
【補正対象項目名】００１１
【補正方法】変更
【補正の内容】
【００１１】
上記の目的を達成するために、本発明のさらに他の実施形態においては、コンピュータに前記実施形態の撮像装置の制御方法の各工程を実現させるためのプログラムを提供する。
【手続補正５】
【補正対象書類名】明細書
【補正対象項目名】００１２
【補正方法】変更
【補正の内容】
【００１２】
上記の目的を達成するために、本発明のさらに他の実施形態においては、コンピュータに前記実施形態の撮像装置の制御方法の各工程を実現させるためのプログラムが記録されたコンピュータ読み取り可能な記録媒体を提供する。
【手続補正６】
【補正対象書類名】明細書
【補正対象項目名】００１５
【補正方法】変更
【補正の内容】
【００１５】
またフレームメモリ領域６−１には撮像枚数をＮとしたとき、Ｎ枚目の画像データが記憶されており、合成処理用フレームメモリ領域６−２にはＮ−１枚目までの複数の画像データが合成された合成画像データが記憶されている。手ぶれ検出部９は、メモリ部６のフレームメモリ領域６−１に記憶されているＮ枚目の画像データと合成処理用フレームメモリ領域６−２に記憶されている合成画像データからＮ−１枚目の画像データの領域部分を抽出する。そしてこの抽出した画像データで、手ぶれによる画像データの移動量が求められる。
【手続補正７】
【補正対象書類名】明細書
【補正対象項目名】発明の名称
【補正方法】変更
【補正の内容】
【発明の名称】撮像装置、撮像装置の制御方法、プログラム及び記録媒体